(57)【要約】【課題】ルーツ型ポンプの改良された構造を提供し、そのようなルーツ型ポンプにおけるケーシング内での流体の抵抗を効果的に低減せしめて、その流れをスムーズと為し得る構造を提供すること。【解決手段】吸入口２４を一対のロータ２０，２０の回転軸３４間に位置するようにケーシング１０（１０ａ，１０ｂ）に設ける一方、一対のロータ２０，２０の各々とケーシング１０内のロータ室２２の内周面との間に形成される空間の吸入口２４側部位に入口側整流手段３０（入口側突起３０ａ，３０ｂ）を配設し、吸入口２４から導入される流体が、入口側整流手段３０によって分割され、一対のロータ２０，２０の各々とケーシング１０のロータ室２２内周面との間に形成される空間に、それぞれ導かれるようにした。【選択図】図２
2016160772.tif 000002
【特許請求の範囲】
【請求項１】
吸入口及び吐出口を備え、内部がロータ室とされてなるケーシングと、かかるロータ室内に、回転軸が互いに平行となるように収容された、互いに噛合して逆方向に回転せしめられる一対のロータとを有し、それらロータの回転に伴って前記吸入口から前記ロータ室内に導入される流体を前記吐出口から吐出するようにしたルーツ型ポンプにおいて、
前記吸入口を前記一対のロータの回転軸間に位置するように前記ケーシングに設ける一方、該吸入口から導入される流体を分割し、該一対のロータの各々と該ケーシングのロータ室内周面との間に形成される空間に、その分割した流体をそれぞれ導く入口側整流手段を、該ケーシング内の前記吸入口側部位に配設したことを特徴とするルーツ型ポンプ。
【請求項２】
前記ケーシングのロータ室内周面に対して、前記吸入口が滑らかな曲面をもって接続されている請求項１に記載のルーツ型ポンプ。
【請求項３】
前記入口側整流手段が三角形状の横断面形状を有し、その頂角が前記吸入口側に位置するように配設されている請求項１又は請求項２に記載のルーツ型ポンプ。
【請求項４】
前記吐出口が前記吸入口に対向するように前記ケーシングに対して配設されてなると共に、前記一対のロータの各々と前記ケーシングのロータ室内周面との間に形成される空間からそれぞれ吐出される流体を前記吐出口に導く出口側整流手段が、前記ケーシング内の該吐出口側部位に配設されている請求項１乃至請求項３の何れか１項に記載のルーツ型ポンプ。
【請求項５】
前記ケーシングのロータ室内周面に対して、前記吐出口が滑らかな曲面をもって接続されている請求項４に記載のルーツ型ポンプ。
【請求項６】
前記出口側整流手段が三角形状の横断面形状を有し、その頂角が前記吐出口側に位置するように配設されている請求項４又は請求項５に記載のルーツ型ポンプ。
【請求項７】
前記ロータが、三葉形状を有している請求項１乃至請求項６の何れか１項に記載のルーツ型ポンプ。
【請求項８】
前記一対のロータの回転軸に、タイミングギアがそれぞれ設けられ、それらタイミングギアの係合によって、該一対のロータが連動して互いに逆方向に回転せしめられるようになっている請求項１乃至請求項７の何れか１項に記載のルーツ型ポンプ。
【請求項９】
前記タイミングギアが、前記ハウジング内にそれぞれ配設せしめられている請求項８に記載のルーツ型ポンプ。
【請求項１０】
前記回転軸の少なくとも一方に、回転駆動手段が取り付けられて、該回転駆動手段にて該少なくとも一方の回転軸が回転駆動せしめられる請求項１乃至請求項９の何れか１項に記載のルーツ型ポンプ。
【発明の詳細な説明】
【技術分野】
【０００１】
本発明は、ルーツ型ポンプに係り、特に、互いに噛合して逆方向に回転せしめられる一対のロータによってポンプ作用を発揮し得るようにしたルーツ型ポンプの改良に関するものである。
【背景技術】
【０００２】
従来から、気体や液体等の流体を輸送するための装置として、往復ポンプ、回転ポンプ、渦巻きポンプ、プロペラポンプ、ジェットポンプ等のポンプが用いられてきており、またそれらポンプのうちの回転ポンプの一つとして、ルーツ型ポンプが知られている。このルーツ型ポンプは、例えば、特開２０００−１７９４８２号公報や特開平２−２１８８８２号公報等に明らかにされている如く、吸入口及び吐出口を備え、内部がロータ室とされてなるケーシングと、かかるロータ室内に回転軸が互いに平行となるように収容された、互いに噛合して逆方向に回転せしめられる一対のロータとを有し、それらロータの回転に伴ってポンプ作用を発揮して、吸入口からロータ室内に導入される流体を、吐出口から吐出せしめるようになっている。
【０００３】
ところで、かかる従来のルーツ型ポンプにあっては、例えば、図６に模式的に示されるように、ハウジング６２のロータ室６４内に収容された一対のロータ６６ａ，６６ｂが、互いに噛合して逆方向に回転せしめられることによって惹起されるポンプ作用により、流体が吸入口６８を通じてロータ室６４内に導入され、そして吐出口７０を通じて吐出せしめられるようになっているのであるが、それら吸入口６８や吐出口７０は、一対のロータ６６ａ，６６ｂの回転軸６７ａ，６７ｂの間に位置するように設けられて、かかる吸入口６８から流体が導き入れられ、そして吐出口７０を通じて外部に吐出せしめられるようになっている。
【０００４】
しかしながら、このような構成のルーツ型ポンプにあっては、吸入口６８を通じて導入された流体が、一対のロータ６６ａ，６６ｂの各々とケーシング６２のロータ室６４内周面との間に形成される空間に収容された形態において、それらロータ６６ａ，６６ｂの回転により吐出口７０側に導かれた後、吐出口７０を通じて外部に吐出せしめられるようになっているところから、吸入口６８を通じて一対のロータ６６ａ，６６ｂの噛合部位に導入される流体は、その流れの方向が左右９０°屈曲せしめられて、ロータ室６４の内周面に沿って移動した後、吐出口７０の形成部位において左右から衝突するように合流せしめられ、更にその後、その流れ方向が９０°変化せしめられて、吐出口７０を通じて外部に吐出されることとなるために、ケーシング６２内において、換言すればロータ室６４内において、流体の流れに対して抵抗が大きくなり、ポンプの効率においても充分なものではなかったのである。
【先行技術文献】
【特許文献】
【０００５】
【特許文献１】特開２０００−１７９４８２号公報
【特許文献２】特開平２−２１８８８２号公報
【発明の概要】
【発明が解決しようとする課題】
【０００６】
ここにおいて、本発明は、かかる事情を背景にして為されたものであって、その解決課題とするところは、ルーツ型ポンプの改良された構造を提供することにあり、また他の課題とするところは、そのようなルーツ型ポンプにおけるケーシング内での流体の抵抗を効果的に低減せしめて、その流れをスムーズと為し得る構造を提供することにある。
【課題を解決するための手段】
【０００７】
そして、本発明は、上記した課題又は明細書全体の記載や図面から把握される課題を解決するために、以下に列挙せる如き各種の対応において、好適に実施され得るものであるが、また、以下に記載の各態様は、任意の組合せにおいても採用可能である。なお、本発明の態様乃至は技術的特徴は、以下に記載のものに何等限定されることなく、明細書全体の記載並びに図面に開示の発明思想に基づいて認識され得るものであることが、理解されるべきである。
【０００８】
（１）  吸入口及び吐出口を備え、内部がロータ室とされてなるケーシングと、かかるロ      ータ室内に、回転軸が互いに平行となるように収容された、互いに噛合して逆方向      に回転せしめられる一対のロータとを有し、それらロータの回転に伴って前記吸入      口から前記ロータ室内に導入される流体を前記吐出口から吐出するようにしたルー      ツ型ポンプにおいて、前記吸入口を前記一対のロータの回転軸間に位置するように      前記ケーシングに設ける一方、該吸入口から導入される流体を分割し、該一対のロ      ータの各々と該ケーシングのロータ室内周面との間に形成される空間に、その分割      した流体をそれぞれ導く入口側整流手段を、該ケーシング内の前記吸入口側部位に      配設したことを特徴とするルーツ型ポンプ。
（２）  前記ケーシングのロータ室内周面に対して、前記吸入口が滑らかな曲面をもって      接続されている前記態様（１）に記載のルーツ型ポンプ。
（３）  前記入口側整流手段が三角形状の横断面形状を有し、その頂角が前記吸入口側に      位置するように配設されている前記態様（１）又は前記態様（２）に記載のルーツ      型ポンプ。
（４）  前記吐出口が前記吸入口に対向するように前記ケーシングに対して配設されてな      ると共に、前記一対のロータの各々と前記ケーシングのロータ室内周面との間に形      成される空間からそれぞれ吐出される流体を前記吐出口に導く出口側整流手段が、      前記ケーシング内の該吐出口側部位に配設されている前記態様（１）乃至前記態様      （３）の何れか１つに記載のルーツ型ポンプ。
（５）  前記ケーシングのロータ室内周面に対して、前記吐出口が滑らかな曲面をもって      接続されている前記態様（４）に記載のルーツ型ポンプ。
（６）  前記出口側整流手段が三角形状の横断面形状を有し、その頂角が前記吐出口側に      位置するように配設されている前記態様（４）又は前記態様（５）に記載のルーツ      型ポンプ。
（７）  前記ロータが、三葉形状を有している前記態様（１）乃至前記態様（６）の何れ      か１つに記載のルーツ型ポンプ。
（８）  前記一対のロータの回転軸に、タイミングギアがそれぞれ設けられ、それらタイ      ミングギアの係合によって、該一対のロータが連動して互いに逆方向に回転せしめ      られるようになっている前記態様（１）乃至前記態様（７）の何れか１つに記載の      ルーツ型ポンプ。
（９）  前記タイミングギアが、前記ハウジング内にそれぞれ配設せしめられている前記      態様（８）に記載のルーツ型ポンプ。
（１０）  前記回転軸の少なくとも一方に、回転駆動手段が取り付けられて、該回転駆動      手段にて該少なくとも一方の回転軸が回転駆動せしめられる前記態様（１）乃至前      記態様（９）の何れか１つに記載のルーツ型ポンプ。
【発明の効果】
【０００９】
このように、本発明に従うルーツ型ポンプにあっては、ケーシング内の吸入口側部位に対し、かかる吸入口から導入される流体を分割する入口側整流手段を配設して、一対のロータの各々とケーシングのロータ室内周面との間に形成される空間に、かかる分割した流体をそれぞれ導くようにしているところから、吸入口から導入される流体の流れ方向が、左右に直角方向に変更せしめられることがないために、流体の流通抵抗の増大を、効果的に抑制乃至は阻止し得ることとなり、以て効率の良いポンプを有利に実現し得ることとなったのである。
【００１０】
また、本発明にあっては、ケーシング内の吐出口側部位においても、一対のロータの各々とケーシングのロータ室内周面との間に形成される空間から、それぞれ吐出される流体を、吐出口に導く出口側整流手段を設けるようにすることにより、かかるケーシング内の吐出口側部位において合流せしめられる流体の流れの抵抗も、効果的に低減せしめられ得ることとなり、これによって、ルーツ型ポンプ全体としての流体の流れの抵抗を、効果的に低減せしめ得て、非常に効率の良いルーツ側ポンプと為し得ることとなるのである。
【図面の簡単な説明】
【００１１】
【図１】本発明に従うルーツ型ポンプの一例を示す全体説明図であって、（ａ）は、正面説明図であり、（ｂ）は、背面説明図であり、（ｃ）は、右側面説明図である。
【図２】図１（ｃ）におけるＡ−Ａ断面拡大説明図である。
【図３】図２におけるＢ−Ｂ断面説明図である。
【図４】図１に示されるルーツ型ポンプのケーシングを構成するケーシング本体とケーシング蓋体の拡大説明図であって、（ａ）は、ケーシング本体の内部形状を示す斜視説明図であり、（ｂ）は、ケーシング蓋体の内部形状を示す斜視説明図である。
【図５】図１に示されるルーツ型ポンプに用いられているロータを示す拡大説明図であって、（ａ）は、かかるロータの正面説明図であり、（ｂ）は、その平面説明図であり、（ｃ）は、（ｂ）におけるＣ−Ｃ断面説明図である。
【図６】従来のルーツ型ポンプの構造を示す模式図である。
【発明を実施するための形態】
【００１２】
以下、本発明を更に具体的に明らかにするために、本発明の実施の形態について、図面を参照しつつ、詳細に説明することとする。
【００１３】
先ず、図１（ａ）〜（ｃ）には、本発明に従うルーツ型ポンプの一例が、正面形態、背面形態及び右側面形態において示されている。そこにおいて、１０は、ルーツ型ポンプのケーシングであって、楕円形の長径の対応する部位が相互に離隔されるように引き延ばされてなる、所定深さの箱体形状を呈するものであって、その引き延ばされた一方の端部に対して、所定の流体を導入するための吸入管１２が取り付けられていると共に、かかる引き延ばされた他方の端部には、ケーシング１０内においてポンプ作用を受けた流体が吐出せしめられる吐出管１４が取り付けられている。また、ケーシング１０は、その円形状に平行な平面において折半されて与えられる一対のケーシング半体１０ａ，１０ｂにて、構成されている。更に、図１の（ｂ）及び（ｃ）から明らかな如く、ケーシング１０の背面には、プーリ１６が配設されており、このプーリ１６に対して、図示しないモータ等の回転駆動装置が連結されることによって、プーリ１６が回転せしめられ、以てケーシング１０内に配設された後述するロータを回転せしめ得るようになっている。
【００１４】
そして、図２及び図３には、かかるケーシング１０の一方の半体１０ａの内部に、一対のロータ２０，２０を配置してなる形態が示されており、また、図４には、そのようなケーシング１０の一対の半体１０ａ，１０ｂの内側の形態が示されている。そこにおいて、ケーシング半体１０ａ，１０ｂの内側には、それぞれ、それらの対向する引き延ばし端部において外部に連通する内部空所２２ａ，２２ｂが設けられており、それら一対のケーシング半体１０ａ，１０ｂが重ね合わされることによって、２つの内部空所２２ａ，２２ｂにて、ロータ室２２が、ケーシング１０の内部に形成されるようになっている。また、内部空所２２ａ，２２ｂの対応する両端部の外部への連通部２４ａ，２４ｂ；２６ａ，２６ｂにて、ケーシング半体１０ａ，１０ｂが重ね合わされたときに、所定の流体の吸入口２４と吐出口２６とが、それぞれ形成されるようになっている。更に、それら吸入口２４や吐出口２６を与える連通部２４ａ，２４ｂ；２６ａ，２６ｂの内面が、図２や図４に示されるように、ロータ室２２の内周面を構成する内部空所２２ａ，２２ｂの内周面に対して、換言すれば各ケーシング半体１０ａ，１０ｂの外周壁部の内周面に対して、それぞれ滑らかな曲面をもって接続されている。
【００１５】
さらに、それら一対のケーシング半体１０ａ，１０ｂの内部空所２２ａ，２２ｂには、それらの吸入口２４側の部位に相当する入口側部位と、吐出口２６側部位に相当する出口側部位に、それぞれ、大略三角形状の平面形態を呈する入口側突起３０ａ，３０ｂと出口側突起３２ａ，３２ｂとが、内部空所２２ａ，２２ｂを画成する外周壁部と略同一の高さにおいて、一体的に設けられている。具体的には、図２や図４から明らかなように、入口側突起３０ａ，３０ｂは、その頂角が吸入口２４側に位置するように、そしてその横断面形状が三角形状を呈するように、設けられていると共に、その頂角を挟む二つの辺が位置する側面が、それぞれ内側に凹陥せしめられてなる湾曲面形状とされているのである。
【００１６】
同様に、出口側突起３２ａ，３２ｂにあっても、それらの頂角が、吐出口２６側に位置するように、そしてその横断面形状が三角形状において突出するように、それぞれ一対のケーシング半体１０ａ，１０ｂに対して一体的に設けられ、且つそれらの高さが、それぞれの内部空所２２ａ，２２ｂを画成する外周壁部の高さと実質的に同一となるように、設けられている。
【００１７】
そして、それら入口側突起３０ａ，３０ｂと出口側突起３２ａ，３２ｂとは、一対のケーシング半体１０ａ，１０ｂが重ね合わされて組み付けられたときに、それぞれ、入口側整流手段３０及び出口側整流手段３２を構成し、吸入口２４から導入される流体を分割して、一対のロータ２０，２０の各々とケーシング１０のロータ室２２内周面との間に形成される空間に、その分割した流体を、それぞれ導き、またそれら空間からそれぞれ吐出される流体を合流させて、吐出口２６に導いて、外部に吐出せしめ得るようになっている。
【００１８】
また、かかるケーシング１０内に形成されるロータ室２２に収容される一対のロータ２０，２０は、図５に明らかにされている如く、それぞれ公知の三葉形状を呈するものであって、回転軸３４の周りに１２０°の位相差をもって位置する、先端面が円形乃至は円弧形状に膨出形成されてなるブレード２０ａ，２０ｂ，２０ｃの一体化物として、構成されている。更に、かかるロータ２０の下面から突出する回転軸３４には、タイミングギア３６が一体的に設けられ、そしてこのタイミングギア３６から更に突出した回転軸３４の先端部に、ベアリング３８が取り付けられている一方、かかるロータ２０の上面から突出する回転軸３４に対しても、同様に、ベアリング３８が取り付けられている。そして、かかるタイミングギア３６やベアリング３８が取り付けられた一対のロータ２０，２０は、図４に示される如く、ケーシング１０を構成するケーシング半体１０ａ，１０ｂのそれぞれに設けられた段付き穴４０ａ，４２ａ；４０ｂ，４２ｂに、それぞれ嵌め込まれることによって、図２や図３に示される如く、ロータ室２２内において互いに噛合して、逆方向に回転せしめられ得るように収容されている。
【００１９】
なお、ここでは、一対のロータ２０，２０のうち、一方のロータ２０の回転軸３４が、図５（ａ）や（ｃ）に示される如く、突出せしめられ、その突出部が、図４（ｂ）に示される、一方のケーシング半体１０ｂの一つの段付き穴４２ｂの底部を貫通して設けられた貫通穴４４を挿通して、その外部に突出した端部に対して、図１に示されるプーリ１６が固定せしめられるようになっている。即ち、かかるプーリ１６が回転せしめられることによって、ロータ室２２内において、一方のロータ２０が回転させられると共に、それに噛合する他方のロータ２０も、それら一対のロータの下部に設けたタイミングギア３６，３６が相互に噛合せしめられていることにより、連動して、同時に回転させられるようになっているのであり、これによって、それら一対のロータ２０，２０が、図２に示される如く、互いに逆方向に回転せしめられることにより、目的とするポンプ作用が発揮されるようになっているのである。
【００２０】
従って、かくの如き構成のルーツ型ポンプにあっては、ケーシング１０内のロータ室２２において、回転軸３４，３４が互いに平行となるように収容された一対のロータ２０，２０が、所定の駆動源にて回転駆動せしめられる外部に位置するプーリ１６の回転によって、一方のロータ２０が回転せしめられることにより、他方のロータ２０も連動して回転せしめられることとなり、以て、ロータ室２２内において、従来と同様なポンプ作用が惹起されて、気体や液体等の所定の流体が吸入管１２を通じて吸入口２４からロータ室２２内に導入され、そして吐出口２６から吐出管１４を通じて外部に吐出せしめられることとなるのであるが、その際、ケーシング１０内のロータ室２２の吸入口２４側部位には、頂角が吸入口２４側に位置するように三角形状の入口側突起３０が配設されているところから、吸入口２４から導入される流体は、そのような入口側突起３０によって左右に分割され、一対のロータ２０，２０の配列方向に対して直交する方向に衝突せしめられることなく、ロータ室２２の左右の内周面にそれぞれ沿うように案内され、そして一対のロータ２０，２０の各々と、ケーシング１０のロータ室２２の内周面との間に形成される空間にスムーズに導かれることとなるのであり、そしてそのために、流体の流れの抵抗が効果的に低減せしめられ得ることとなるのであって、これにより、一対のロータ２２，２２の回転によるポンプ作用が、有利に発揮され得て、非常に効率の良いルーツ型ポンプが実現され得ることとなるのである。
【００２１】
しかも、本実施形態に係るルーツ型ポンプにあっては、ケーシング１０内のロータ室２２の吐出口２６側部位に、入口側突起３０と同様な出口側突起３２が、その頂角が吐出口２６側に位置するように配設されているところから、一対のロータ２０，２０のポンプ作用によってロータ室２２の左右の内周面に沿って給送される流体の二つの流れが、出口側突起３２の存在により、効果的に合流せしめられ得るようになるのであり、以て、そのような流体の二つの流れが、ロータ室２２の吐出口２６側の部位において衝突することが有利に阻止乃至は抑制され得るようになるところから、吐出口２６側部位において吐出せしめられる流体の流れがスムーズとなり、抵抗が少なくなって、より一層効率の良いポンプ作動が発揮せしめられ得る構造となっているのである。
【００２２】
このように、本実施形態にあっては、ケーシング１０内のロータ室２２の吸入口２４側部位に、入口側整流手段として入口側突起３０ａ，３０ｂを配設すると共に、更に、ロータ室２２の吐出口２６側部位にも、出口側整流手段として出口側突起３２ａ，３２ｂを設けて、ロータ室２２内への流体の流入と共に、ロータ室２２内からの流体の吐出を整流するようにしたことによって、ケーシング１０内における流体の流れがより一層スムーズと為され得て、ポンプ効率の更なる向上が実現され得るようになっているのであるが、本発明にあっては、少なくとも、前記した入口側整流手段（入口側突起３０ａ，３０ｂ）が設けられておれば、本発明の所期の目的は達成可能である。
【００２３】
また、入口側整流手段や出口側整流手段として、入口側突起３０ａ，３０ｂや出口側突起３２ａ，３２ｂの頂角を与える両側の辺を形成する側面が、内側に凹陥した湾曲面とされて、ロータ室２２内に導かれる流体の流れが効果的に２分割され、またその分割された二つの流体の流れが、効果的に合流せしめられ得るようになっているのであるが、それら入口側突起３０ａ，３０ｂや出口側突起３２ａ，３２ｂは、単純な三角形状の横断面を与える突起であっても、何等差し支えなく、更には、入口側整流手段や出口側整流手段としての機能を有する他の形状の突起や部材を配設することも可能である。
【００２４】
さらに、一対のロータ２０，２０の回転を連動させるために、相互に噛合せしめられるタイミングギア３６が、それぞれのロータ２０の下面に取り付けられ、一方のケーシング半体１０ａの内部凹所２２ａに設けた二段の段付き穴４０ａ，４０ａ内に収容せしめられて、ケーシング１０の外部には配設されないようになっているところから、そのようなタイミングギア３６の取り付けられる回転軸３４周りにシールを行う必要がない利点が享受され得ているのであるが、勿論、これに限定されるものではなく、一対のロータ２０，２０を連動させるためのタイミングギア３６，３６をケーシング１０の外部に配設する構成も採用可能である。
【００２５】
なお、本発明に従うルーツ型ポンプは、例示の実施形態に係る具体的な記述によって何等限定的に解釈されるものでは決してなく、本発明が、当業者の知識に基づいて、種々なる変更、修正、改良等を加えた態様において実施され得るものであり、またそのような実施の態様が、本発明の主旨を逸脱しない限りにおいて、何れも、本発明の範疇に属するものであることが、理解されるべきである。
【００２６】
例えば、例示のロータ２０は、三葉形状とされているが、これに代えて、公知の二葉形状（ひょうたん形状）のローターや、四葉形状、或いはそれ以上の形状のロータ等も採用可能であり、更に、単段のポンプ及び多段のポンプの何れにも、具体化可能である。
【００２７】
また、例示の実施形態においては、一対のロータ２０，２０のうちの一方のロータの回転軸３４が動力軸とされて、プーリ１６によって回転駆動せしめられることにより、一対のロータ２０，２０が共動して逆方向に回転せしめられるようになっているが、それら一対のロータ２０，２０のそれぞれの回転軸が動力軸とされて、それぞれのロータ２０，２０が互いに逆方向に回転駆動せしめられるようにすることも可能である。
【００２８】
さらに、例示のケーシング１０にあっては、その浅底箱体形状のケーシング半体１０ａ，１０ｂを重ね合わせることによって、内部にロータ室２２が形成されるようになっているが、単に、箱体形状としたケーシング本体の開口部を板状の蓋体にて閉塞してなる構造も採用可能であり、内部に目的とするロータ室が形成される限りにおいて、各種のケーシング構造を採用することが可能である。
【符号の説明】
【００２９】
１０  ケーシング                １０ａ，１０ｂ  ケーシング半体
１２  吸入管                    １４  吐出管
１６  プーリ                    ２０  ロータ
２２  ロータ室                  ２２ａ，２２ｂ  内部空所
２４  吸入口                    ２６  吐出口
２４ａ，２４ｂ，２６ａ，２６ｂ  連通部
３０  入口側整流手段            ３０ａ，３０ｂ  入口側突起
３２  出口側整流手段            ３２ａ，３２ｂ  出口側突起
３４  回転軸                    ３６  タイミングギア
３８  ベアリング
【図１】
2016160772.tif 000003
【図２】
2016160772.tif 000004
【図３】
2016160772.tif 000005
【図４】
2016160772.tif 000006
【図５】
2016160772.tif 000007
【図６】
2016160772.tif 000008